(57)【特許請求の範囲】
【請求項１】
入力装置からディスプレイ装置に入力される一定の実行コマンドに対し、当該ディスプレイ装置とコンピュータ装置間でデータの送受信を行うことなく、当該ディスプレイ装置に表示されたコンピュータ画面上で、カーソル及びアプリケーションを制御するアプリケーション制御ディスプレイシステムであって、
入力装置から入力した第一の実行コマンドにもとづいて、カーソル位置情報を信号処理部に出力することにより、前記カーソル位置情報にもとづき前記コンピュータ画面を信号処理部により表示部に再表示させて、カーソルを前記コンピュータ画面上に表示し、当該カーソルを移動させる場合、前記入力装置から入力された第二の実行コマンドにもとづいて、移動後のカーソル位置情報を信号処理部に出力することにより、前記移動後のカーソル位置情報にもとづき前記コンピュータ画面を信号処理部により表示部に再表示させるとともに、前記入力装置から入力した第三の実行コマンド及びカーソル位置情報を送受信部に出力する制御部と、前記制御部から入力した前記第三の実行コマンド及び前記カーソル位置情報を前記コンピュータ装置に送信し、かつ、前記コンピュータ装置から送信されてきたコンピュータ画面の映像信号、又は前記コンピュータ装置から送信されてきた、前記第三の実行コマンド及び前記カーソル位置情報にもとづいて再描画されたコンピュータ画面の映像信号を受信して、当該映像信号を信号処理部に出力する送受信部と、前記送受信部から入力した前記映像信号又は前記制御部から入力したカーソル位置情報にもとづいて、前記コンピュータ画面を前記表示部に表示する前記信号処理部を備えた前記ディスプレイ装置と、
前記コンピュータ画面の映像信号を前記ディスプレイ装置に送信するとともに、前記ディスプレイ装置から受信した前記第三の実行コマンド及び前記カーソル位置情報にもとづいてコンピュータ画面を再描画し、再描画したコンピュータ画面の映像信号を前記ディスプレイ装置に送信する前記コンピュータ装置と、
前記ディスプレイ装置に前記第一の実行コマンド、前記第二の実行コマンド、及び前記第三の実行コマンドを入力する前記入力装置を有する
ことを特徴とするアプリケーション制御ディスプレイシステム。
【請求項２】
入力装置からディスプレイ装置に入力される一定の実行コマンドに対し、当該ディスプレイ装置とコンピュータ装置間でデータの送受信を行うことなく、当該ディスプレイ装置に表示されたコンピュータ画面上で、カーソル及びアプリケーションを制御するアプリケーション制御ディスプレイシステムであって、
入力装置から入力した第一の実行コマンドにもとづいて、カーソル位置情報を信号処理部に出力することにより、前記カーソル位置情報にもとづき前記コンピュータ画面を信号処理部により表示部に再表示させて、カーソルを前記コンピュータ画面上に表示し、当該カーソルを移動させる場合、前記入力装置から入力された第二の実行コマンドにもとづいて、移動後のカーソル位置情報を信号処理部に出力することにより、前記移動後のカーソル位置情報にもとづき前記コンピュータ画面を信号処理部により表示部に再表示させるとともに、前記入力装置から入力した第三の実行コマンド及びカーソル位置情報を送受信部に出力し、かつ、前記送受信部から入力した画像データを映像信号に変換して前記信号処理部に出力する制御部と、前記制御部から入力した前記第三の実行コマンド及び前記カーソル位置情報を前記コンピュータ装置に送信し、かつ、前記コンピュータ装置から送信されてきたコンピュータ画面の画像データ、又は前記コンピュータ装置から送信されてきた、前記第三の実行コマンド及び前記カーソル位置情報にもとづいて再描画されたコンピュータ画面の画像データを受信して、当該画像データを制御部に出力する送受信部と、前記制御部から入力した前記映像信号又は前記制御部から入力したカーソル位置情報にもとづいて、前記コンピュータ画面を前記表示部に表示する前記信号処理部を備えた前記ディスプレイ装置と、
前記コンピュータ画面の映像信号を画像データに変換し、この画像データを前記ディスプレイ装置に送信するとともに、前記ディスプレイ装置から受信した前記第三の実行コマンド及び前記カーソル位置情報にもとづいてコンピュータ画面を再描画し、再描画したコンピュータ画面の映像信号を画像データに変換し、この画像データを前記ディスプレイ装置に送信する前記コンピュータ装置と、
前記ディスプレイ装置に前記第一の実行コマンド、前記第二の実行コマンド、及び前記第三の実行コマンドを入力する前記入力装置を有する
ことを特徴とするアプリケーション制御ディスプレイシステム。
【請求項３】
前記コンピュータ装置が、前記ディスプレイ装置から送信されてきた第四の実行コマンド及びカーソル位置情報にもとづいて、当該カーソル位置情報に対応するフレーム情報を記憶部から取得し、このフレーム情報を前記ディスプレイ装置に送信し、
前記送受信部が、前記フレーム情報を前記コンピュータ装置から受信して前記制御部に出力し、
前記制御部が、前記フレーム情報を前記信号処理部に出力し、前記フレーム情報にもとづき前記コンピュータ画面を前記表示部に再表示させ、前記フレーム情報にもとづき表示されたフレームを移動させる場合、前記入力装置から入力された第五の実行コマンドにもとづいて、移動後のカーソル位置情報及び移動後のフレーム情報を前記信号処理部に出力し、前記移動後のカーソル位置情報及び前記移動後のフレーム情報にもとづき前記コンピュータ画面を前記表示部に再表示させるとともに、前記入力装置から入力された第六の実行コマンド、前記カーソル位置情報及び前記フレーム情報を前記送受信部に出力し、
前記送受信部が、前記第六の実行コマンド、前記カーソル位置情報及び前記フレーム情報を前記コンピュータ装置に送信して、
前記コンピュータ装置が、送信されてきた前記第六の実行コマンド、前記カーソル位置情報及び前記フレーム情報にもとづき前記コンピュータ画面を再描画して、このコンピュータ画面を前記ディスプレイ装置に送信し、
前記送受信部が、再描画されたコンピュータ画面を前記コンピュータ装置から受信し、受信したコンピュータ画面が画像データである場合には、このコンピュータ画面を、前記制御部を介し、映像信号に変換して前記信号処理部に出力し、映像信号である場合には、直接前記信号処理部に出力し、
前記信号処理部が、前記コンピュータ画面を前記表示部に表示する
ことを特徴とする請求項１又は２記載のアプリケーション制御ディスプレイシステム。
【請求項４】
前記ディスプレイ装置が、プロジェクタ装置であり、
前記入力装置が、リモコン装置、ポインティング装置又はディスプレイ装置本体のコントロールキーである
ことを特徴とする請求項１〜３のいずれかに記載のアプリケーション制御ディスプレイシステム。
【請求項５】
入力装置から入力される一定の実行コマンドに対し、コンピュータ装置とデータの送受信を行うことなく、コンピュータ画面上でカーソル及びアプリケーションを制御するアプリケーション制御ディスプレイ装置であって、
入力装置から入力した第一の実行コマンドにもとづいて、カーソル位置情報を信号処理部に出力することにより、前記カーソル位置情報にもとづき前記コンピュータ画面を信号処理部により表示部に再表示させて、カーソルを前記コンピュータ画面上に表示し、当該カーソルを移動させる場合、前記入力装置から入力された第二の実行コマンドにもとづいて、移動後のカーソル位置情報を信号処理部に出力することにより、前記移動後のカーソル位置情報にもとづき前記コンピュータ画面を信号処理部により表示部に再表示させるとともに、前記入力装置から入力した第三の実行コマンド及びカーソル位置情報を送受信部に出力する制御部と、
前記制御部から入力した前記第三の実行コマンド及びカーソル位置情報を前記コンピュータ装置に送信し、かつ、前記コンピュータ装置から送信されてきたコンピュータ画面の映像信号、又は前記コンピュータ装置から送信されてきた、前記第三の実行コマンド及び前記カーソル位置情報にもとづいて再描画されたコンピュータ画面の映像信号を受信して、当該映像信号を信号処理部に出力する送受信部と、
前記送受信部から入力した前記映像信号又は前記制御部から入力したカーソル位置情報にもとづいて、前記コンピュータ画面を前記表示部に表示する前記信号処理部を有する
ことを特徴とするアプリケーション制御ディスプレイ装置。
【請求項６】
入力装置から入力される一定の実行コマンドに対し、コンピュータ装置とデータの送受信を行うことなく、コンピュータ画面上でカーソル及びアプリケーションを制御するアプリケーション制御ディスプレイ装置であって、
入力装置から入力した第一の実行コマンドにもとづいて、カーソル位置情報を信号処理部に出力することにより、前記カーソル位置情報にもとづき前記コンピュータ画面を信号処理部により表示部に再表示させて、カーソルを前記コンピュータ画面上に表示し、当該カーソルを移動させる場合、前記入力装置から入力された第二の実行コマンドにもとづいて、移動後のカーソル位置情報を信号処理部に出力することにより、前記移動後のカーソル位置情報にもとづき前記コンピュータ画面を信号処理部により表示部に再表示させるとともに、前記入力装置から入力した第三の実行コマンド及びカーソル位置情報を送受信部に出力し、かつ、前記送受信部から入力した画像データを映像信号に変換して前記信号処理部に出力する制御部と、
前記制御部から入力した前記第三の実行コマンド及びカーソル位置情報を前記コンピュータ装置に送信し、かつ、前記コンピュータ装置から送信されてきたコンピュータ画面の画像データ、又は前記コンピュータ装置から送信されてきた、前記第三の実行コマンド及び前記カーソル位置情報にもとづいて再描画されたコンピュータ画面の画像データを受信して、当該画像データを制御部に出力する送受信部と、
前記制御部から入力した前記映像信号又は前記制御部から入力したカーソル位置情報にもとづいて、前記コンピュータ画面を前記表示部に表示する前記信号処理部を有する
ことを特徴とするアプリケーション制御ディスプレイ装置。
【請求項７】
前記送受信部が、前記コンピュータ装置により第四の実行コマンド及びカーソル位置情報にもとづき前記コンピュータ装置における記憶部から取得された当該カーソル位置情報に対応するフレーム情報を受信して、このフレーム情報を前記制御部に出力し、
前記制御部が、前記フレーム情報を前記信号処理部に出力し、前記フレーム情報にもとづき前記コンピュータ画面を前記表示部に再表示させ、前記フレーム情報にもとづき表示されたフレームを移動させる場合、前記入力装置から入力された第五の実行コマンドにもとづいて、移動後のカーソル位置情報及び移動後のフレーム情報を前記信号処理部に出力し、前記移動後のカーソル位置情報及び前記移動後のフレーム情報にもとづき前記コンピュータ画面を前記表示部に再表示させるとともに、前記入力装置から入力された第六の実行コマンド、前記カーソル位置情報及び前記フレーム情報を前記送受信部に出力し、
前記送受信部が、前記第六の実行コマンド、前記カーソル位置情報及び前記フレーム情報を前記コンピュータ装置に送信して、前記コンピュータ装置により前記第六の実行コマンド、前記カーソル位置情報及び前記フレーム情報にもとづき再描画されたコンピュータ画面を前記コンピュータ装置から受信し、受信したコンピュータ画面が画像データである場合には、このコンピュータ画面を、前記制御部を介し、映像信号に変換して前記信号処理部に出力し、映像信号である場合には、直接前記信号処理部に出力し、
前記信号処理部が、前記コンピュータ画面を前記表示部に表示する
ことを特徴とする請求項５又は６記載のアプリケーション制御ディスプレイ装置。
【請求項８】
入力装置からディスプレイ装置に入力される一定の実行コマンドに対し、当該ディスプレイ装置とコンピュータ装置間でデータの送受信を行うことなく、当該ディスプレイ装置に表示されたコンピュータ画面上で、カーソル及びアプリケーションを制御するアプリケーション制御ディスプレイ方法であって、
前記コンピュータ装置が、コンピュータ画面の映像信号を前記ディスプレイ装置に送信し、
前記ディスプレイ装置が、送信されてきた前記映像信号によるコンピュータ画面を表示するとともに、
前記ディスプレイ装置が、前記入力装置から入力された第一の実行コマンドにもとづき、カーソルを前記コンピュータ画面上に表示し、
前記ディスプレイ装置が、当該カーソルを移動させる場合、前記入力装置から入力された第二の実行コマンドと、カーソル位置情報にもとづいて前記コンピュータ画面情報を再表示し、
前記ディスプレイ装置が、前記入力装置から入力された第三の実行コマンド、及びカーソル位置情報を前記コンピュータ装置に送信し、
前記コンピュータ装置が、前記第三の実行コマンド及び前記カーソル位置情報にもとづきコンピュータ画面を再描画するとともに、再描画したコンピュータ画面の映像信号を前記ディスプレイ装置に送信し、
前記ディスプレイ装置が、前記再描画したコンピュータ画面を表示する
ことを特徴とするアプリケーション制御ディスプレイ方法。
【請求項９】
入力装置からディスプレイ装置に入力される一定の実行コマンドに対し、当該ディスプレイ装置とコンピュータ装置間でデータの送受信を行うことなく、当該ディスプレイ装置に表示されたコンピュータ画面上で、カーソル及びアプリケーションを制御するアプリケーション制御ディスプレイ方法であって、
前記コンピュータ装置が、コンピュータ画面の映像信号を画像データに変換して前記ディスプレイ装置に送信し、
前記ディスプレイ装置が、送信されてきた前記画像データによるコンピュータ画面を表示するとともに、
前記ディスプレイ装置が、前記入力装置から入力された第一の実行コマンドにもとづき、カーソルを前記コンピュータ画面上に表示し、
前記ディスプレイ装置が、当該カーソルを移動させる場合、前記入力装置から入力された第二の実行コマンドと、カーソル位置情報にもとづいて前記コンピュータ画面情報を再表示し、
前記ディスプレイ装置が、前記入力装置から入力された第三の実行コマンド、及びカーソル位置情報を前記コンピュータ装置に送信し、
前記コンピュータ装置が、前記第三の実行コマンド及び前記カーソル位置情報にもとづきコンピュータ画面を再描画するとともに、再描画したコンピュータ画面の映像信号を画像データに変換して前記ディスプレイ装置に送信し、
前記ディスプレイ装置が、前記再描画したコンピュータ画面を表示する
ことを特徴とするアプリケーション制御ディスプレイ方法。
【請求項１０】
前記コンピュータ装置が、前記ディスプレイ装置から送信されてきた第四の実行コマンド及びカーソル位置情報にもとづいて、当該カーソル位置情報に対応するフレーム情報を記憶部から取得し、このフレーム情報を前記ディスプレイ装置に送信し、
前記ディスプレイ装置が、送信されてきた前記フレーム情報にもとづき前記コンピュータ画面を再表示し、
前記ディスプレイ装置が、前記フレーム情報にもとづき表示されたフレームを移動させる場合、前記入力装置から入力された第五の実行コマンドと、カーソル位置情報及びフレーム情報にもとづいて前記コンピュータ画面情報を再表示するとともに、
前記ディスプレイ装置が、前記入力装置から入力された第六の実行コマンド、前記カーソル位置情報及び前記フレーム情報を前記コンピュータ装置に送信し、
前記コンピュータ装置が、送信されてきた前記第六のコマンド、前記カーソル位置情報及び前記フレーム情報にもとづき前記コンピュータ画面を再描画して、このコンピュータ画面を前記ディスプレイ装置に送信し、
前記ディスプレイ装置が、送信されてきた前記コンピュータ画面を表示する
ことを特徴とする請求項８又は９記載のアプリケーション制御ディスプレイ方法。
【発明の詳細な説明】
【０００１】
【発明の属する技術分野】
本発明は、ディスプレイ装置の入力装置だけで、コンピュータ装置から送信されたコンピュータ画面上のアプリケーションを制御するとともに、その際のデータ転送量を軽減するコンピュータ画面表示におけるアプリケーション制御ディスプレイシステム、アプリケーション制御ディスプレイ装置、アプリケーション制御ディスプレイ方法に関する。
【０００２】
【従来の技術】
近年、コンピュータ装置によるコンピュータ画面をディスプレイ装置に表示させ、これを用いたプレゼンテーションなどが広く行われている。
この場合、ディスプレイ装置の制御とコンピュータ装置のアプリケーションソフトの制御を容易に行うためには、ディスプレイ装置のリモコンなどにより、ディスプレイ装置とコンピュータ装置のアプリケーションソフトの両方の制御を可能とすることが望ましい。
【０００３】
しかし、リモコンからの出力信号をディスプレイ装置の制御用と、コンピュータ装置の制御用とに分けた場合は、それぞれのカーソルが表示されるため、使用しずらいという問題があった。
このようなプレゼンテーションなどにおけるディスプレイ画面の表示制御を行うための手段としては、例えば、特開平６−３４８４１２号公報、特開平９−６２４４４号公報、特開平１１−１４３６２９号公報、特開２００１−１２５７３８号公報等に開示されているものを挙げることができる。
【０００４】
これらの方法によれば、指示装置によるポインタの位置情報やコマンドをビデオカメラなどによって入力し、これをコンピュータ装置で解析して、対応する処理を行うことが可能となる。
しかしながら、指示装置によるポインティング情報等をビデオカメラなどで受信して解析する構成であり、専用の機器を必要とするものであった。
このため、より簡易な構成で、ディスプレイ装置に表示されている内容を制御することが望まれるものであった。
【０００５】
また、所謂リモートディスクトップなどのように、通信回線を介してあるコンピュータ装置のディスクトップ画面を、別個のコンピュータ装置に表示させ、この別個のコンピュータ装置において制御する手段を用いることも可能である。
このような手段によれば、離れた場所にあるコンピュータ装置のコンピュータ画面を別のコンピュータ装置に接続されたディスプレイ装置に表示させることが可能であることに加え、もとのコンピュータ画面から制御可能な多くの機能をそのまま使用することができるものであった。
【０００６】
【発明が解決しようとする課題】
しかしながら、上述ような手段を用いた場合、通信回線を介して送受信されるデータ量が大きいため、十分な処理速度を得ることが困難であり、プレゼンテーションなどに最適であるとは言えなかった。
また、プレゼンテーションなどに用いる場合、その必要な機能は、限られているため、その範囲内で十分な機能を発揮できるような簡易な構成により、コンピュータ画面上のアプリケーションを制御可能とすることが望まれていた。
【０００７】
そして、上述のような手段を用いる場合には、コンピュータ画面を受信する側にもコンピュータ装置を用意するか、あるいは、ディスプレイ装置自体にコンピュータ装置の機能を保有させる必要があり、簡易なものではなかった。
【０００８】
本発明は、上記の事情にかんがみなされたものであり、ディスプレイ装置の入力装置だけで、コンピュータ装置から送信されたコンピュータ画面上のアプリケーションを制御するとともに、その際のデータ転送量を軽減することのできるコンピュータ画面表示におけるアプリケーション制御ディスプレイシステム、装置及びその方法の提供を目的とする。
【０００９】
【課題を解決するための手段】
上記目的を達成するため、本発明の請求項１記載のアプリケーション制御ディスプレイシステムは、入力装置からディスプレイ装置に入力される一定の実行コマンドに対し、当該ディスプレイ装置とコンピュータ装置間でデータの送受信を行うことなく、当該ディスプレイ装置に表示されたコンピュータ画面上で、カーソル及びアプリケーションを制御するアプリケーション制御ディスプレイシステムであって、入力装置から入力した第一の実行コマンドにもとづいて、カーソル位置情報を信号処理部に出力することにより、カーソル位置情報にもとづきコンピュータ画面を信号処理部により表示部に再表示させて、カーソルをコンピュータ画面上に表示し、当該カーソルを移動させる場合、入力装置から入力された第二の実行コマンドにもとづいて、移動後のカーソル位置情報を信号処理部に出力することにより、移動後のカーソル位置情報にもとづきコンピュータ画面を信号処理部により表示部に再表示させるとともに、入力装置から入力した第三の実行コマンド及びカーソル位置情報を送受信部に出力する制御部と、制御部から入力した第三の実行コマンド及びカーソル位置情報をコンピュータ装置に送信し、かつ、コンピュータ装置から送信されてきたコンピュータ画面の映像信号、又はコンピュータ装置から送信されてきた、第三の実行コマンド及びカーソル位置情報にもとづいて再描画されたコンピュータ画面の映像信号を受信して、当該映像信号を信号処理部に出力する送受信部と、送受信部から入力した映像信号又は制御部から入力したカーソル位置情報にもとづいて、コンピュータ画面を表示部に表示する信号処理部を備えたディスプレイ装置と、コンピュータ画面の映像信号をディスプレイ装置に送信するとともに、ディスプレイ装置から受信した第三の実行コマンド及びカーソル位置情報にもとづいてコンピュータ画面を再描画し、再描画したコンピュータ画面の映像信号をディスプレイ装置に送信するコンピュータ装置と、ディスプレイ装置に第一の実行コマンド、第二の実行コマンド、及び第三の実行コマンドを入力する入力装置を有する構成としてある。
【００１０】
アプリケーション制御ディスプレイシステムをこのような構成にすれば、ディスプレイ装置の入力装置だけで、コンピュータ装置から送信されたコンピュータ画面上のアプリケーションを制御することができる。
すなわち、入力装置から入力された実行コマンドがコンピュータ装置に送信され、これにもとづいて、再描画されたコンピュータ画面が、ディスプレイ装置に表示されることによって、ディスプレイ装置に制御後のアプリケーションを表示することができる。
【００１１】
例えば、リモコン装置からディスプレイ装置に表示されているコンピュータ画面上の、アプリケーションの終了ボタン上でカーソルの決定ボタンを押下したとする。
このとき、決定ボタンを押下したことを示す実行コマンドが、コンピュータ装置に送信されて処理され、再描画されたコンピュータ画面をディスプレイ装置に表示することが可能となる。
【００１２】
また、この際、コンピュータ装置用とディスプレイ装置用の二つのカーソルを表示させることなく、一つのみ表示させて制御することができるため、操作性を向上させることが可能となる。
さらに、コンピュータ装置によるコンピュータ画面の再描画は、所定の実行コマンドのみに対して行われ、単なるカーソルの移動などについては、ディスプレイ装置上のみで行われるため、コンピュータ装置とディスプレイ装置間のデータ送受信量を大きく軽減することができる。
このため、これらの装置の処理負荷が軽減されるとともに、高い処理速度を得ることができるため、プレゼンテーションに適したものとすることが可能となる。
【００１３】
なお、入力装置から入力される実行コマンドとしては、カーソルの表示・非表示コマンド、カーソルの上下左右の方向移動コマンド、決定コマンド、取消コマンド、移動コマンド等を挙げることができる。
また、コンピュータ画面とは、コンピュータによりディスプレイ装置に表示される画面全体の情報を意味する。
描画とは、コンピュータ画面を表示するための映像信号を作成する処理を意味する。
再表示とは、変更された情報を付加して、ディスプレイ装置に表示中の表示内容の更新を行うことを意味する。
【００１４】
本発明の請求項２記載のアプリケーション制御ディスプレイシステムは、入力装置からディスプレイ装置に入力される一定の実行コマンドに対し、当該ディスプレイ装置とコンピュータ装置間でデータの送受信を行うことなく、当該ディスプレイ装置に表示されたコンピュータ画面上で、カーソル及びアプリケーションを制御するアプリケーション制御ディスプレイシステムであって、入力装置から入力した第一の実行コマンドにもとづいて、カーソル位置情報を信号処理部に出力することにより、カーソル位置情報にもとづきコンピュータ画面を信号処理部により表示部に再表示させて、カーソルをコンピュータ画面上に表示し、当該カーソルを移動させる場合、入力装置から入力された第二の実行コマンドにもとづいて、移動後のカーソル位置情報を信号処理部に出力することにより、移動後のカーソル位置情報にもとづきコンピュータ画面を信号処理部により表示部に再表示させるとともに、入力装置から入力した第三の実行コマンド及びカーソル位置情報を送受信部に出力し、かつ、送受信部から入力した画像データを映像信号に変換して信号処理部に出力する制御部と、制御部から入力した第三の実行コマンド及びカーソル位置情報をコンピュータ装置に送信し、かつ、コンピュータ装置から送信されてきたコンピュータ画面の画像データ、又はコンピュータ装置から送信されてきた、第三の実行コマンド及びカーソル位置情報にもとづいて再描画されたコンピュータ画面の画像データを受信して、当該画像データを制御部に出力する送受信部と、制御部から入力した映像信号又は制御部から入力したカーソル位置情報にもとづいて、コンピュータ画面を表示部に表示する信号処理部を備えたディスプレイ装置と、コンピュータ画面の映像信号を画像データに変換し、この画像データをディスプレイ装置に送信するとともに、ディスプレイ装置から受信した第三の実行コマンド及びカーソル位置情報にもとづいてコンピュータ画面を再描画し、再描画したコンピュータ画面の映像信号を画像データに変換し、この画像データをディスプレイ装置に送信するコンピュータ装置と、ディスプレイ装置に第一の実行コマンド、第二の実行コマンド、及び第三の実行コマンドを入力する入力装置を有する構成としてある。
【００１５】
アプリケーション制御ディスプレイシステムをこのような構成にすれば、コンピュータ装置からのコンピュータ画面を映像信号のままではなく、画像データに変換して、ディスプレイ装置に送信することができる。
このため、コンピュータ画面データの送信の無線化が可能となるとともに、ディスプレイ装置におけるコンピュータ画面の処理に関し、高い拡張性を保有させることが可能となる。
【００１６】
本発明の請求項３記載のアプリケーション制御ディスプレイシステムは、コンピュータ装置が、ディスプレイ装置から送信されてきた第四の実行コマンド及びカーソル位置情報にもとづいて、当該カーソル位置情報に対応するフレーム情報を記憶部から取得し、このフレーム情報をディスプレイ装置に送信し、送受信部が、フレーム情報をコンピュータ装置から受信して制御部に出力し、制御部が、フレーム情報を信号処理部に出力し、フレーム情報にもとづきコンピュータ画面を表示部に再表示させ、フレーム情報にもとづき表示されたフレームを移動させる場合、入力装置から入力された第五の実行コマンドにもとづいて、移動後のカーソル位置情報及び移動後のフレーム情報を信号処理部に出力し、移動後のカーソル位置情報及び移動後のフレーム情報にもとづきコンピュータ画面を表示部に再表示させるとともに、入力装置から入力された第六の実行コマンド、カーソル位置情報及びフレーム情報を送受信部に出力し、送受信部が、第六の実行コマンド、カーソル位置情報及びフレーム情報をコンピュータ装置に送信して、コンピュータ装置が、送信されてきた第六の実行コマンド、カーソル位置情報及びフレーム情報にもとづきコンピュータ画面を再描画して、このコンピュータ画面をディスプレイ装置に送信し、送受信部が、再描画されたコンピュータ画面をコンピュータ装置から受信し、受信したコンピュータ画面が画像データである場合には、このコンピュータ画面を、制御部を介し、映像信号に変換して信号処理部に出力し、映像信号である場合には、直接信号処理部に出力し、信号処理部が、コンピュータ画面を表示部に表示する構成としてある。
【００１７】
アプリケーション制御ディスプレイシステムをこのような構成にすれば、コンピュータ装置からディスプレイ装置にアプリケーションのフレーム情報を送信し、ディスプレイ装置において、仮想フレームを表示することができる。
すなわち、コンピュータ装置からディスプレイ装置に送信されるデータとしては、コンピュータ画面のデータのみならず、フレーム情報である場合もある。
そして、ディスプレイ装置上で、このフレーム情報にもとづきアプリケーションの移動を行うことが可能となる。
【００１８】
ディスプレイ装置上でアプリケーションウィンドウの移動を行う際に、コンピュータ装置側は、何も処理を行う必要はない。
そして、アプリケーションの移動が終了し、入力装置から決定コマンドが入力されると、これがディスプレイ装置からコンピュータ装置に送信されて、再描画が行われ、描画後のコンピュータ画像が、ディスプレイ装置に送信されて表示される。
【００１９】
このように、本発明では、コンピュータ装置（サーバ側）は、移動の開始時に移動用の制御情報（フレーム情報）のディスプレイ装置への送信を行い、移動中には何もする必要はなく、終了時に再描画を実行してディスプレイ装置への送信を行うだけでよい。
【００２０】
また、ディスプレイ装置（クライアント側）は、移動開始時にコンピュータ装置から移動用の制御情報を受信し、移動中に自身の簡易フレーム表示機能を用いて仮想フレームの移動処理を行い、移動終了時に移動終了制御情報をコンピュータ装置へ送信し、コンピュータ装置からコンピュータ画面の受信を行うこととなる。
【００２１】
したがって、従来の技術に比較すると、サーバ、クライアントの処理が共に軽減されることとなる。
なお、本発明においては、ディスプレイ装置のみで操作可能なアプリケーションのフレームを、仮想フレームと称している。
【００２２】
本発明の請求項４記載のアプリケーション制御ディスプレイシステムは、ディスプレイ装置が、プロジェクタ装置であり、入力装置が、リモコン装置、ポインティング装置又はディスプレイ装置本体のコントロールキーである構成としてある。
【００２３】
アプリケーション制御ディスプレイシステムをこのような構成にすれば、プレゼンテーションなどにおいて、コンピュータ装置のコンピュータ画面をプロジェクタ表示させるとともに、リモコンなどによって、プロジェクタに入力情報を送信するだけで、コンピュータ画面上のアプリケーションの制御などを行うことが可能となる。
【００２４】
本発明の請求項５記載のアプリケーション制御ディスプレイ装置は、入力装置から入力される一定の実行コマンドに対し、コンピュータ装置とデータの送受信を行うことなく、コンピュータ画面上でカーソル及びアプリケーションを制御するアプリケーション制御ディスプレイ装置であって、入力装置から入力した第一の実行コマンドにもとづいて、カーソル位置情報を信号処理部に出力することにより、カーソル位置情報にもとづきコンピュータ画面を信号処理部により表示部に再表示させて、カーソルをコンピュータ画面上に表示し、当該カーソルを移動させる場合、入力装置から入力された第二の実行コマンドにもとづいて、移動後のカーソル位置情報を信号処理部に出力することにより、移動後のカーソル位置情報にもとづきコンピュータ画面を信号処理部により表示部に再表示させるとともに、入力装置から入力した第三の実行コマンド及びカーソル位置情報を送受信部に出力する制御部と、制御部から入力した第三の実行コマンド及びカーソル位置情報をコンピュータ装置に送信し、かつ、コンピュータ装置から送信されてきたコンピュータ画面の映像信号、又はコンピュータ装置から送信されてきた、第三の実行コマンド及びカーソル位置情報にもとづいて再描画されたコンピュータ画面の映像信号を受信して、当該映像信号を信号処理部に出力する送受信部と、送受信部から入力した映像信号又は制御部から入力したカーソル位置情報にもとづいて、コンピュータ画面を表示部に表示する信号処理部を有する構成としてある。
【００２５】
アプリケーション制御ディスプレイ装置をこのような構成にすれば、入力装置から入力された実行コマンドを、コンピュータ装置に送信することにより、再描画されたコンピュータ画面を、ディスプレイ装置に表示することができる。
また、このとき、カーソル移動は、ディスプレイ装置のみが行い、コンピュータ装置は、カーソル移動後の決定コマンドの送信に応じて、上記処理を実行することができる。
したがって、コンピュータ装置とディスプレイ装置間のデータ送受信量を軽減することができるとともに、高い処理速度を得ることが可能となる。また、簡易な構成で実現でき、コストを削減することも可能となる。
【００２６】
本発明の請求項６記載のアプリケーション制御ディスプレイ装置は、入力装置から入力される一定の実行コマンドに対し、コンピュータ装置とデータの送受信を行うことなく、コンピュータ画面上でカーソル及びアプリケーションを制御するアプリケーション制御ディスプレイ装置であって、入力装置から入力した第一の実行コマンドにもとづいて、カーソル位置情報を信号処理部に出力することにより、カーソル位置情報にもとづきコンピュータ画面を信号処理部により表示部に再表示させて、カーソルをコンピュータ画面上に表示し、当該カーソルを移動させる場合、入力装置から入力された第二の実行コマンドにもとづいて、移動後のカーソル位置情報を信号処理部に出力することにより、移動後のカーソル位置情報にもとづきコンピュータ画面を信号処理部により表示部に再表示させるとともに、入力装置から入力した第三の実行コマンド及びカーソル位置情報を送受信部に出力し、かつ、送受信部から入力した画像データを映像信号に変換して信号処理部に出力する制御部と、制御部から入力した第三の実行コマンド及びカーソル位置情報をコンピュータ装置に送信し、かつ、コンピュータ装置から送信されてきたコンピュータ画面の画像データ、又はコンピュータ装置から送信されてきた、第三の実行コマンド及びカーソル位置情報にもとづいて再描画されたコンピュータ画面の画像データを受信して、当該画像データを制御部に出力する送受信部と、制御部から入力した映像信号又は制御部から入力したカーソル位置情報にもとづいて、コンピュータ画面を表示部に表示する信号処理部を有する構成としてある。
【００２７】
アプリケーション制御ディスプレイシステムをこのような構成にすれば、コンピュータ装置からのコンピュータ画面を映像信号のままではなく、画像データに変換して、ディスプレイ装置に送信することができ、アプリケーション制御ディスプレイシステムに高い拡張性を保有させることが可能となる。
【００２８】
本発明の請求項７記載のアプリケーション制御ディスプレイ装置は、送受信部が、コンピュータ装置により第四の実行コマンド及びカーソル位置情報にもとづきコンピュータ装置における記憶部から取得された当該カーソル位置情報に対応するフレーム情報を受信して、このフレーム情報を制御部に出力し、制御部が、フレーム情報を信号処理部に出力し、フレーム情報にもとづきコンピュータ画面を表示部に再表示させ、フレーム情報にもとづき表示されたフレームを移動させる場合、入力装置から入力された第五の実行コマンドにもとづいて、移動後のカーソル位置情報及び移動後のフレーム情報を信号処理部に出力し、移動後のカーソル位置情報及び移動後のフレーム情報にもとづきコンピュータ画面を表示部に再表示させるとともに、入力装置から入力された第六の実行コマンド、カーソル位置情報及びフレーム情報を送受信部に出力し、送受信部が、第六の実行コマンド、カーソル位置情報及びフレーム情報をコンピュータ装置に送信して、コンピュータ装置により第六の実行コマンド、カーソル位置情報及びフレーム情報にもとづき再描画されたコンピュータ画面をコンピュータ装置から受信し、受信したコンピュータ画面が画像データである場合には、このコンピュータ画面を、制御部を介し、映像信号に変換して信号処理部に出力し、映像信号である場合には、直接信号処理部に出力し、信号処理部が、コンピュータ画面を表示部に表示する構成としてある。
【００２９】
アプリケーション制御ディスプレイ装置をこのような構成にすれば、コンピュータ装置に実行コマンドを送信するとともに、コンピュータ装置からアプリケーションのフレーム情報を受信することによって、仮想フレームを表示することができる。
そして、この仮想フレームをディスプレイ装置のみによって、操作することができる。
【００３０】
すなわち、ディスプレイ装置が従来から有する簡易フレーム表示機能を用いて、ディスプレイ装置において、アプリケーションの移動を行うことができる。
また、移動が終了した後に、決定コマンドを入力装置から入力し、これをコンピュータ装置に送信して、コンピュータ画面の再描画を行い、これをディスプレイ装置上に表示することが可能となる。
【００３１】
本発明の請求項８記載のアプリケーション制御ディスプレイ方法は、入力装置からディスプレイ装置に入力される一定の実行コマンドに対し、当該ディスプレイ装置とコンピュータ装置間でデータの送受信を行うことなく、当該ディスプレイ装置に表示されたコンピュータ画面上で、カーソル及びアプリケーションを制御するアプリケーション制御ディスプレイ方法であって、コンピュータ装置が、コンピュータ画面の映像信号をディスプレイ装置に送信し、ディスプレイ装置が、送信されてきた映像信号によるコンピュータ画面を表示するとともに、ディスプレイ装置が、入力装置から入力された第一の実行コマンドにもとづき、カーソルをコンピュータ画面上に表示し、ディスプレイ装置が、当該カーソルを移動させる場合、入力装置から入力された第二の実行コマンドと、カーソル位置情報にもとづいてコンピュータ画面情報を再表示し、ディスプレイ装置が、入力装置から入力された第三の実行コマンド、及びカーソル位置情報をコンピュータ装置に送信し、コンピュータ装置が、第三の実行コマンド及びカーソル位置情報にもとづきコンピュータ画面を再描画するとともに、再描画したコンピュータ画面の映像信号をディスプレイ装置に送信し、ディスプレイ装置が、再描画したコンピュータ画面を表示する方法としてある。
【００３２】
アプリケーション制御ディスプレイ方法をこのような方法にすれば、ディスプレイ装置の入力装置だけで、コンピュータ装置から送信されたコンピュータ画面上のアプリケーションを制御することができる。
【００３３】
本発明の請求項９記載のアプリケーション制御ディスプレイ方法は、入力装置からディスプレイ装置に入力される一定の実行コマンドに対し、当該ディスプレイ装置とコンピュータ装置間でデータの送受信を行うことなく、当該ディスプレイ装置に表示されたコンピュータ画面上で、カーソル及びアプリケーションを制御するアプリケーション制御ディスプレイ方法であって、コンピュータ装置が、コンピュータ画面の映像信号を画像データに変換してディスプレイ装置に送信し、ディスプレイ装置が、送信されてきた画像データによるコンピュータ画面を表示するとともに、ディスプレイ装置が、入力装置から入力された第一の実行コマンドにもとづき、カーソルをコンピュータ画面上に表示し、ディスプレイ装置が、当該カーソルを移動させる場合、入力装置から入力された第二の実行コマンドと、カーソル位置情報にもとづいてコンピュータ画面情報を再表示し、ディスプレイ装置が、入力装置から入力された第三の実行コマンド、及びカーソル位置情報をコンピュータ装置に送信し、コンピュータ装置が、第三の実行コマンド及びカーソル位置情報にもとづきコンピュータ画面を再描画するとともに、再描画したコンピュータ画面の映像信号を画像データに変換してディスプレイ装置に送信し、ディスプレイ装置が、再描画したコンピュータ画面を表示する方法としてある。
【００３４】
アプリケーション制御ディスプレイ方法をこのような方法にすれば、コンピュータ装置からのコンピュータ画面を映像信号のままではなく、画像データに変換して、ディスプレイ装置に送信することができる。
【００３５】
本発明の請求項１０記載のアプリケーション制御ディスプレイ方法は、コンピュータ装置が、ディスプレイ装置から送信されてきた第四の実行コマンド及びカーソル位置情報にもとづいて、当該カーソル位置情報に対応するフレーム情報を記憶部から取得し、このフレーム情報をディスプレイ装置に送信し、ディスプレイ装置が、送信されてきたフレーム情報にもとづきコンピュータ画面を再表示し、ディスプレイ装置が、フレーム情報にもとづき表示されたフレームを移動させる場合、入力装置から入力された第五の実行コマンドと、カーソル位置情報及びフレーム情報にもとづいてコンピュータ画面情報を再表示するとともに、ディスプレイ装置が、入力装置から入力された第六の実行コマンド、カーソル位置情報及びフレーム情報をコンピュータ装置に送信し、コンピュータ装置が、送信されてきた第六のコマンド、カーソル位置情報及びフレーム情報にもとづきコンピュータ画面を再描画して、このコンピュータ画面をディスプレイ装置に送信し、ディスプレイ装置が、送信されてきたコンピュータ画面を表示する方法としてある。
【００３６】
アプリケーション制御ディスプレイ方法をこのような方法にすれば、コンピュータ装置からディスプレイ装置にアプリケーションのフレーム情報を送信し、ディスプレイ装置において、仮想フレームを表示することができる。
すなわち、ディスプレイ装置上で、この仮想フレームを操作することによって、アプリケーションの移動等を行うことが可能となる。
そして、移動の終了の後、決定コマンドを押すことによって、コンピュータ装置にその情報が送信され、コンピュータ装置において再描画が実行されるとともに、これをディスプレイ装置上に表示させることが可能となる。
【００３７】
【発明の実施の形態】
以下、本発明の実施形態につき、図面を参照して説明する。
［第一実施形態］
まず、本発明の第一実施形態について、図１〜図６を参照して説明する。図１は、本発明の第一実施形態のアプリケーション制御ディスプレイシステムの構成の概略を示すブロック図であり、図２は、本発明の第一実施形態のアプリケーション制御ディスプレイシステムの構成を示すブロック図である。
【００３８】
また、図３は、本発明の第一実施形態のアプリケーション制御ディスプレイシステムにおいて表示されたコンピュータ画面の例を示す図であり、図４は、同システムにおいて設定されるカーソル位置情報の概念図である。
さらに、図５は、同システムにおいてカーソルが描画されたコンピュータ画面の例を示す図であり、図６は、同じくコマンドが実行されたコンピュータ画面の例を示す図である。
【００３９】
図１に示すように、コンピュータ画面表示におけるアプリケーション制御ディスプレイシステムは、ディスプレイ装置１０、コンピュータ装置２０及び入力装置３０を有している。
ディスプレイ装置１０は、コンピュータ装置２０から送信されるコンピュータ画面情報を表示するものであり、モニター装置や、液晶モニター装置、プロジェクタ装置等とすることができる。
【００４０】
このディスプレイ装置１０は、送受信部１１、制御部１２、記憶部１３、信号処理部１４及び表示部１５を有している。
送受信部１１は、コンピュータ装置２０との各種データ送受信を行う。
制御部１２は、入力装置３０から所定の実行コマンドが入力されると、記憶部１３からカーソル位置情報等を取得し、これらを信号処理部１４へ出力する。
また、制御部１２は、実行コマンドの種類によっては、記憶部１３からカーソル位置情報等を取得して、実行コマンドとともに送受信部１１に出力する。
【００４１】
記憶部１３は、カーソル位置情報やフレーム情報等を記憶する記憶装置である。この記憶部１３は、制御部１２からカーソル位置情報の取得を受けるとともに、カーソル位置情報等の変更があった場合には、その変更内容の更新を受ける。
信号処理部１４は、コンピュータ装置２０からの入力情報にもとづいて、表示部１５にコンピュータ画面を表示させたり、制御部１２からの入力情報にもとづいて、その画面上にカーソルを表示する。
表示部１５は、信号処理部１４からの入力信号を表示するものであり、ＣＲＴ画面や、液晶画面、光学装置等を用いることができる。
【００４２】
コンピュータ装置２０は、ディスプレイ装置１０に有線又は無線で接続され、ディスプレイ装置１０にそのコンピュータ画面を送信して表示させることのできる情報処理装置である。
このコンピュータ装置２０は、送受信部２１、制御情報処理部２２及び記憶部２３を有している。
【００４３】
送受信部２１は、ディスプレイ装置１０との各種データ送受信を行う。
制御情報処理部２２は、ディスプレイ装置１０から送受信部２１を介して入力されたデータに対し、そのデータの種類に応じた処理を実行する。また、このとき、記憶部２３から必要な情報の取得して、コンピュータ画面の再描画を行うこともできる。そして、これらを送受信部２１へ出力する。
【００４４】
入力装置３０は、ディスプレイ装置１０に、有線又は無線によって情報を入力することのできるものであり、リモコン装置３０ａや、マウス３０ｂ、その他ポインティング装置、ディスプレイ本体のコントロールキー等を挙げることができる。
【００４５】
次に、図２を用いて、本発明の構成についてより詳細に説明する。
同図において、本発明のコンピュータ画面表示におけるアプリケーション制御ディスプレイシステムのディスプレイ装置１０をプロジェクタ装置１０ａと、入力装置３０をリモコン装置３０ａとしてある。
【００４６】
プロジェクタ装置１０ａは、ディスプレイ装置１０と同様の構成として、送受信部１１ａ、制御部１２ａ、記憶部１３ａ、信号処理部１４ａ及び表示部１５ａを有している。
送受信部１１ａは、映像信号受信部１１ａ−１及び制御情報送信部１１ａ−２を有している。
【００４７】
映像信号受信部１１ａ−１は、コンピュータ装置２０から映像信号を受信し、これを信号処理部１４ａに出力する。
制御情報送信部１１ａ−２は、制御部１２ａから出力された実行コマンド、カーソル位置情報等をコンピュータ装置２０に送信する。
【００４８】
制御部１２ａは、入力情報制御部１２ａ−１、カーソル描画制御部１２ａ−２及び制御情報出力部１２ａ−３を有している。
入力情報制御部１２ａ−１は、リモコン装置３０ａから出力された実行コマンドを入力し、その種類に応じて、カーソル描画制御部１２ａ−２又は制御情報出力部１２ａ−３へ出力する。
【００４９】
例えば、実行コマンドが、カーソルの表示／非表示コマンドや移動コマンドである場合には、これをカーソル描画制御部１２ａ−２へ出力し、実行コマンドが決定コマンドである場合には、これを制御情報出力部１２ａ−３へ出力することができる。
【００５０】
カーソル描画制御部１２ａ−２は、入力した実行コマンドに応じて、必要な情報を記憶部１３ａから取得し、この取得データを信号処理部１４ａへ出力する。
例えば、実行コマンドが、カーソルの表示／非表示コマンドの場合には、カーソル位置情報を記憶部１３ａから取得して、これを信号処理部１４ａへ出力する。
【００５１】
制御情報出力部１２ａ−３は、入力情報制御部１２ａ−１から入力した実行コマンドに応じて、必要な情報を記憶部１３ａから取得し、この取得データと実行コマンドを制御情報送信部１１ａ−２へ出力する。
例えば、実行コマンドが、決定コマンドである場合には、カーソル位置情報を記憶部１３ａから取得して、これらを制御情報送信部１１ａ−２へ出力する。
記憶部１３ａ、信号処理部１４ａ、及び表示部１５ａは、上述のディスプレイ装置１０におけるものと同様の機能を有している。
【００５２】
コンピュータ装置２０における送受信部２１は、映像信号送信部２１−１及び制御情報受信部２１−２を有している。
映像信号送信部２１−１は、制御情報処理部２２から入力した映像信号をプロジェクタ装置１０ａへ送信する。
【００５３】
すなわち、制御情報処理部２２において作成されたコンピュータ装置２０におけるコンピュータ画面の映像信号をプロジェクタ装置１０ａへ送信する。
このコンピュータ画面は、プロジェクタ装置１０ａから送信されてくる制御情報にもとづき、制御情報処理部２２によって随時更新され、映像信号送信部２１−１へ入力されて、コンピュータ装置２０へ送信される。
【００５４】
リモコン装置３０ａは、電磁波や音波等によって、プロジェクタ装置１０ａに無線信号を入力することのできる入力装置であり、上方向移動ボタン３１ａ、左方向移動ボタン３２ａ、右方向移動ボタン３３ａ、下方向移動ボタン３４ａ、表示／非表示ボタン３５ａ及び決定ボタン３６ａを有している。
【００５５】
上方向移動ボタン３１ａ、左方向移動ボタン３２ａ、右方向移動ボタン３３ａ、下方向移動ボタン３４ａは、カーソル等を移動する実行コマンドをコンピュータ装置２０に送信するためのものである。
表示／非表示ボタン３５ａは、カーソルの表示／非表示を切り替える実行コマンドをコンピュータ装置２０に送信するためのものである。
また、決定ボタン３６ａは、カーソルが存在するカーソル位置において、対応する処理をコンピュータ装置２０に実行させるための実行コマンドをコンピュータ装置２０に送信するためのものである。
【００５６】
例えば、コンピュータ画面上のアプリケーションの終了アイコン上にカーソルが存在する場合に、この決定ボタン３６ａが押下されると、この実行コマンド等がコンピュータ装置２０に送信され、制御情報処理部２２によって、アプリケーションが終了された後のコンピュータ画面が描画される。
そして、映像信号送信部２１−１を介して、プロジェクタ装置１０ａに送信され、この再描画されたコンピュータ画面が表示される。
【００５７】
なお、リモコン装置３０ａからディスプレイ装置１０に送信する実行コマンドは、上記のものに限られず、アプリケーションの制御に必要なコマンドを適宜設定することができる。
例えば、複数ページを有するアプリケーションの操作を行う場合には、上記方向移動ボタンの左右ボタンなどをページ移動ボタンとして設定することも可能である。
【００５８】
次に、図２を用いて、コンピュータ画面表示におけるアプリケーション制御ディスプレイシステムの処理手順について説明する。
まず、コンピュータ装置２０の制御情報処理部２２が、コンピュータ画面の映像信号を、映像信号送信部２１−１を介して、プロジェクタ装置１０ａへ送信する。
【００５９】
プロジェクタ装置１０ａの映像信号受信部１１ａ−１は、送信されてきた映像信号を信号処理部１４ａに出力し、信号処理部１４ａは、この映像信号にもとづいて表示部１５ａにコンピュータ画面を表示する。図３は、このようにして表示されたコンピュータ画面の例を示している。
【００６０】
同図において、コンピュータ画面上には、二つのアプリケーションＡ４１及びアプリケーションＢ４２が表示されており、それぞれのタイトルバーの右端には、終了ボタン４３が設けられている。
次に、リモコン装置３０ａが、カーソルの表示／非表示コマンドをプロジェクタ装置１０ａに送信すると、プロジェクタ装置１０ａの入力情報制御部１２ａ−１が、これを受信して、カーソル描画制御部１２ａ−２へ出力する。
【００６１】
カーソル描画制御部１２ａ−２は、記憶部１３ａからカーソル位置情報を取得し、このカーソル位置情報を信号処理部１４ａに出力して設定を行う。図４は、このようにして設定されるカーソル位置情報の概念図である。
同図は、例として、カーソル４４の位置情報が、座標（４００，１００）であることを示しており、信号処理部１４ａに対して、コンピュータ画面上の座標（４００，１００）にカーソル４４を表示させるように設定が行われる。
【００６２】
信号処理部１４ａは、設定されたカーソル位置情報にもとづいて、コンピュータ画面の映像信号上の対応する画面位置に、カーソルを描画して、これを表示部１５ａに出力し、表示させる。図５は、このようにしてカーソル４４が表示されたコンピュータ画面の例を示している。
【００６３】
次に、リモコン装置３０ａから、プロジェクタ装置１０ａに決定コマンドが送信されると、これをプロジェクタ装置１０ａの入力情報制御部１２ａ−１が受信し、制御情報出力部１２ａ−３へ出力する。
制御情報出力部１２ａ−３は、記憶部１３ａからカーソル位置情報を取得して、この決定コマンド及びカーソル位置情報を、制御情報送信部１１ａ−２を介してコンピュータ装置２０に送信する。
【００６４】
コンピュータ装置２０の制御情報受信部２１−２は、プロジェクタ装置１０ａから決定コマンド及びカーソル位置情報を受信すると、これを制御情報処理部２２に出力する。
制御情報処理部２２は、入力された決定コマンド及びカーソル位置情報と、記憶部２３に記憶されている、コンピュータ画面に表示中のアプリケーションの位置情報等にもとづいて、上記カーソル位置におけるコンピュータ画面内容を分析し、その位置に実行コマンドを適用した場合の処理を演算する。
【００６５】
図５においては、カーソルは、アプリケーションＡ４１の終了アイコン上に位置しているため、制御情報処理部２２は、アプリケーションＡ４１をコンピュータ画面上から消去した画面の再描画を行い、これを映像信号送信部２１−１に出力する。
【００６６】
映像信号送信部２１−１は、アプリケーションＡ４１を消去したコンピュータ画面の映像信号をプロジェクタ装置１０ａに送信し、このコンピュータ画面が、プロジェクタ装置１０ａの映像信号受信部１１ａ−１、信号処理部１４ａを介して、表示部１５ａに表示される。
図６は、このようにして表示されたコンピュータ画面を示している。同図において、アプリケーションＡ４１は終了され、カーソル４４及びアプリケーションＢ４２のみが表示されている。
【００６７】
なお、リモコン装置３０ａの各方向移動ボタンを押下し、各方向移動コマンドをプロジェクタ装置１０ａに送信することにより、プロジェクタ装置１０ａに表示されているコンピュータ画面上で、カーソルの移動処理を行うことができる。
このとき、その実行コマンドは入力情報制御部１２ａ−１を介して、カーソル描画制御部１２ａ−２に入力される。そして、カーソル描画制御部１２ａ−２によって、移動後の位置情報が算出され、記憶部１３ａに記憶されるとともに、信号処理部１４ａに設定されて、移動後のカーソルが表示部１５ａに表示される。
【００６８】
［第二実施形態］
次に、本発明の第二実施形態につき、図７を参照して説明する。同図は、本発明の第二実施形態におけるアプリケーション制御ディスプレイシステムの構成を示すブロック図である。
【００６９】
本実施形態のアプリケーション制御ディスプレイシステムは、コンピュータ装置２０からプロジェクタ装置１０ａに送信されるコンピュータ画面の情報が、映像信号ではなく、一度画像データに変換されてからプロジェクタ装置１０ａに送信される点で、第一実施形態と異なる。
【００７０】
すなわち、図７において、本実施形態のアプリケーション制御ディスプレイシステムは、第一実施形態におけるコンピュータ装置２０の映像信号送信部２１−１が、画像データ送信部２１−３となっており、プロジェクタ装置１０ａの映像信号受信部１１ａ−１が、画像データ受信部１１ａ−３となっている。
【００７１】
また、本実施形態の制御部１２ａは、第一実施形態における構成に加え、画像データ制御部１２ａ−４を有しており、画像データ受信部１１ａ−３に入力されたデータは、この画像データ制御部１２ａ−４を介して、信号処理部１４ａへ出力される構成となっている。
その他の構成については、第一実施形態における各構成要素と同様であり、その機能も第一実施形態における機能と同様である。
【００７２】
画像データ送信部２１−３は、制御情報処理部２２によって作成された画像データを、プロジェクタ装置１０ａに送信する。
このとき、制御情報処理部２２は、コンピュータ画面の映像信号を画像データに変換し、圧縮して画像データ送信部２１−３へ出力する。この画像データには、解像度情報を含めることができる。
なお、映像信号の画像データへの変換機能及び圧縮機能を、画像データ送信部２１−３にもたせるようにすることも可能である。
【００７３】
画像データ受信部１１ａ−３は、画像データ送信部２１−３から画像データを受信し、これを画像データ制御部１２ａ−４に出力する。
画像データ制御部１２ａ−４は、入力した画像データを展開（解凍）するとともに、映像信号に変換し、これを信号処理部１４ａへ出力する。
なお、この画像データの展開機能や変換機能は、画像データ受信部１１ａ−３にもたせるようにすることもできる。
【００７４】
このようにして、本実施形態によれば、コンピュータ装置２０からプロジェクタ装置１０ａに送信されるコンピュータ画面を、映像信号ではなく、画像データとして扱うことができる。
このため、プロジェクタ装置１０ａ上において、その利用上の拡張性を期待することができるとともに、コンピュータ画面データの無線送信が可能となる。
【００７５】
［第三実施形態］
次に、本発明の第三実施形態につき、図８を参照して説明する。同図は、本発明の第三実施形態におけるアプリケーション制御ディスプレイシステムの構成を示すブロック図である。
【００７６】
本実施形態のアプリケーション制御ディスプレイシステムは、入力装置３０が、マウス３０ｂとされている点で、第二実施形態と異なる。その他の各構成や機能については、第二実施形態と同様である。
本実施形態においては、プロジェクタ装置１０ａへの実行コマンドの入力は、マウス３０ｂを用いて行われる。
【００７７】
このとき、第二実施形態における方向移動コマンドの入力は、マウス３０ｂが有する回転体の回転により入力される。
第二実施形態における決定ボタン３６ａは、マウス３０ｂの左クリックによって行うことができる。また、表示／非表示ボタン３５ａは、例えば、右クリックによって表示切り替え可能としたり、いずれかのボタンの所定時間以上のクリックによって、切り替え可能とすることもできる。
【００７８】
さらに、入力装置３０として、マウス３０ｂ以外にポインタデバイスやタッチパッドなどの各種ポインティング装置や、プロジェクタ装置１０ａ本体のコントロールキーを用いることもできる。
このとき、ポインティング装置の操作は、マウス３０ｂと同様に行うことが可能である。また、プロジェクタ装置１０ａ本体のコントロールキーによる操作は、リモコン装置３０ａと同様に行うことが可能である。
【００７９】
［第四実施形態］
次に、本発明の第四実施形態につき、図９〜図１５を参照して説明する。図９は、本発明の第四実施形態のアプリケーション制御ディスプレイシステムの構成を示すブロック図である。
【００８０】
また、図１０は、本発明の第四実施形態のアプリケーション制御ディスプレイシステムにおいて表示されたコンピュータ画面の例を示す図であり、図１１は、同システムにおいて設定されるカーソル位置情報の概念図である。
さらに、図１２は、同システムにおいてカーソルが描画されたコンピュータ画面の例を示す図であり、図１３は、フレーム情報を示す概念図である。そして、図１４は、仮想フレームの移動を示す図であり、図１５は、コマンドが実行されたコンピュータ画面の例を示す図である。
【００８１】
本実施形態は、プロジェクタ装置１０ａ上で、コンピュータ装置２０のアプリケーションの移動を行う点で、第二実施形態と異なる。
図９において、プロジェクタ装置１０ａは、第二実施形態の構成に加え、送受信部１１ａにフレーム情報受信部１１ａ−４を有するとともに、制御部１２ａにフレーム描画制御部１２ａ−５を有している。
【００８２】
また、コンピュータ装置２０は、第二実施形態の構成に加え、送受信部２１にフレーム情報送信部２１−４を有している。さらに、記憶部１３ａは、カーソル位置情報の他、フレーム情報等も記憶する。
そして、リモコン装置３０ａは、第二実施形態の構成に加え、移動ボタン３７ａ及び取消ボタン３８ａを有している。その他の構成及びその機能は、第二実施形態におけるものと同様である。
【００８３】
フレーム情報受信部１１ａ−４は、コンピュータ装置２０からフレーム情報を受信し、これをフレーム描画制御部１２ａ−５へ出力する。
このフレーム情報とは、カーソル位置に配置されているアプリケーションのタイトルバーが選択されたことを示す情報、フレーム位置情報、及びアプリケーションのフレームサイズ等の情報である。
【００８４】
カーソル位置に配置されているアプリケーションのタイトルバーが選択されたことを示す情報とは、例えば、そのアプリケーション名などとすることができる。
あるいは、より詳細に、選択されたことを示すフラグ情報や、アプリケーションにおけるタイトルバーを示す情報等を有するようにしてもよく、実現しようとするアプリケーション制御の内容に併せて、より詳細なものとすることができる。また、省略することも可能である。
フレーム位置情報は、例えば、フレームの左上及び右下の座標によって表現することができる。また、フレームサイズは、フレームの横幅及び高さによって表現することができる。
【００８５】
フレーム描画制御部１２ａ−５は、フレーム情報受信部１１ａ−４からフレーム情報を入力すると、カーソル位置情報及びフレーム位置情報及びフレームサイズを信号処理部１４ａに設定し、この設定した画面位置にカーソル及びフレームを描画させ、表示部１５ａに表示させる。
コンピュータ装置２０のフレーム情報送信部２１−４は、制御情報処理部２２から入力した上記のフレーム情報をプロジェクタ装置１０ａへ送信する。
【００８６】
リモコン装置３０ａの移動ボタン３７ａは、コンピュータ画面上のアプリケーションを移動する際に用いるものである。
通常、各方向異動ボタンを押下すると、その押下に応じて、カーソルの移動を行うことができるが、カーソルをアプリケーションのタイトルバーの上に移動させて、決定ボタン３６ａを押すことによって選択し、移動ボタン３７ａを押下した後に、各方向異動ボタンを押下することによって、アプリケーションを移動させるようにすることができる。
【００８７】
取消ボタン３８ａは、カーソルがアプリケーションのタイトルバーを選択し、ドラッグ可能状態となっている場合に、これを解除することができる実行コマンドである。その他、実行したコマンドをキャンセルする機能をもたせることもできる。
【００８８】
次に、図９を用いて、コンピュータ画面表示におけるアプリケーション制御ディスプレイシステムの処理手順について説明する。
まず、コンピュータ装置２０の制御情報処理部２２が、コンピュータ画面の映像信号を画像データに変換し、圧縮して画像データ送信部２１−３へ出力する。
【００８９】
画像データ送信部２１−３は、この画像データをプロジェクタ装置１０ａの画像データ受信部１１ａ−３に送信する。
なお、上記変換機能及び圧縮機能を、制御情報処理部２２ではなく、画像データ送信部２１−３にもたせるようにしてもよい。
【００９０】
プロジェクタ装置１０ａの画像データ受信部１１ａ−３が、画像データを受信すると、これを制御部１２ａの画像データ制御部１２ａ−４へ出力する。
そして、画像データ制御部１２ａ−４が、入力した画像データを展開し、映像信号に変換して、これを信号処理部１４ａへ出力する。そして、信号処理部１４ａが、これを表示部１５ａに表示させる。このとき、上記展開機能及び変換機能を画像データ受信部１１ａ−３にもたせるようにしてもよい。
図１０は、このようにして表示されたコンピュータ画面の例を示している。同図には、タイトルバー４５を有するアプリケーションＡ４１が表示されている。
【００９１】
次に、リモコン装置３０ａからカーソルの表示コマンドが入力されると、入力情報制御部１２ａ−１がこれを受信し、カーソル描画制御部１２ａ−２へ出力する。
カーソル描画制御部１２ａ−２は、記憶部１３ａからカーソル位置情報を取得して信号処理部１４ａに設定し、信号処理部１４ａが、この設定された画面位置にカーソルを描画して、これを表示部１５ａに表示させる。図１１は、このようにして設定されるカーソル位置情報の概念図である。
同図は、例として、カーソル４４の位置情報が、座標（４００，１００）であることを示しており、信号処理部１４ａに対して、コンピュータ画面上の座標（４００，１００）にカーソル４４を表示させるように設定が行われる。
【００９２】
信号処理部１４ａは、設定されたカーソル位置情報にもとづいて、コンピュータ画面の映像信号上の対応する画面位置に、カーソルを描画して、これを表示部１５ａに出力し、表示させる。図１２は、このようにしてカーソル４４が表示されたコンピュータ画面の例を示している。
【００９３】
次に、カーソル４４によって、タイトルバー４５を選択するため、リモコン装置３０ａから決定コマンドが入力されると、入力情報制御部１２ａ−１がこれを受信して、制御情報出力部１２ａ−３へ出力する。
制御情報出力部１２ａ−３は、記憶部１３ａからカーソル位置情報を取得し、このカーソル位置情報と決定コマンドの情報を制御情報送信部１１ａ−２へ出力し、制御情報送信部１１ａ−２がこれらをコンピュータ装置２０に送信する。
【００９４】
コンピュータ装置２０の制御情報受信部２１−２は、プロジェクタ装置１０ａからカーソル位置情報と決定コマンドの情報を受信し、これらを制御情報処理部２２へ出力する。
制御情報処理部２２は、入力されたカーソル位置にアプリケーションが存在するか否かを記憶部２３に対して確認し、存在する場合には、そのアプリケーションＡ４１のフレーム位置情報やフレームサイズ情報等を記憶部２３から取得する。
そして、これらのフレーム情報を、フレーム情報送信部２１−４を介してプロジェクタ装置１０ａに送信する。
【００９５】
プロジェクタ装置１０ａのフレーム情報受信部１１ａ−４は、フレーム情報を受信して、これをフレーム描画制御部１２ａ−５に出力する。
フレーム描画制御部１２ａ−５は、フレーム情報を記憶部１３ａに記憶するとともに、フレーム情報を信号処理部１４ａに設定する。また、カーソル描画制御部１２ａ−２は、記憶部１３ａからカーソル位置情報を取得して、これを信号処理部１４ａに設定する。
【００９６】
そして、信号処理部１４ａは、これらの情報にもとづいて、それぞれの画面位置にフレーム及びカーソルを描画して、これを表示部１５ａに表示する。
図１３は、このようにして信号処理部１４ａに設定されるフレーム情報の概念図である。同図においては、フレームＡ４１ａを設定するものとしている。
【００９７】
このフレームＡ４１ａは、図１０に示すように、はじめにプロジェクタ装置１０ａ上にアプリケーションＡ４１として既に表示されているものである。
しかし、この時点において、プロジェクタ装置１０ａは、アプリケーションＡ４１のフレームを認識してはおらず、コンピュータ画面全体をイメージとして認識しているだけであり、本実施形態でフレームＡ４１ａを信号処理部１４ａに設定することによって、アプリケーションＡ４１を独立して把握することが可能となる。
【００９８】
したがって、このようにして表示されたコンピュータ画面は、図１０に示すコンピュータ画面と見た目には同一であるが、フレームＡ４１ａを設定後に表示されたコンピュータ画面は、アプリケーションＡ４１を制御することが可能な状態となっている。
【００９９】
次に、図１４に示すようにフレームＡ４１ａを移動させるものとする。このとき、リモコン装置３０ａから移動コマンドを入力した後に、各方向移動コマンドを操作することによって、フレームＡ４１ａを移動させるための情報をプロジェクタ装置１０ａに入力することができる。
【０１００】
そして、この入力された実行コマンドにもとづいて、入力情報制御部１２ａ−１、カーソル描画制御部１２ａ−２、フレーム描画制御部１２ａ−５を通じて、移動後のフレーム及びカーソルの位置情報が信号処理部１４ａに設定され、移動後のフレーム及びカーソルが表示部１５ａに表示される。
【０１０１】
次に、リモコン装置３０ａから決定コマンドが入力されると、この決定コマンドは入力情報制御部１２ａ−１を介して制御情報出力部１２ａ−３に出力される。そして、制御情報出力部１２ａ−３は、この決定コマンドを、記憶部１３ａのカーソル位置情報、フレーム情報等とともに制御情報送信部１１ａ−２を介してコンピュータ装置２０に送信する。
【０１０２】
コンピュータ装置２０の制御情報受信部２１−２は、これらを受信して、制御情報処理部２２へ出力し、記憶部２３に記憶するとともに、これらの情報にもとづいてコンピュータ画面を再描画し、画像データに変換して圧縮し、画像データ送信部２１−３へ出力する。
そして、画像データ送信部２１−３からプロジェクタ装置１０ａへ送信され、上述の場合と同様に表示される。
【０１０３】
図１５は、このようにしてプロジェクタ装置１０ａに表示されたコンピュータ画面の例を示している。同図において、アプリケーションＡ４１は、リモコン装置３０ａからプロジェクタ装置１０ａに入力された実行コマンドにもとづいて、図１０の位置から移動した位置に表示されている。
【０１０４】
なお、本実施形態においては、アプリケーションＡ４１の移動後のコンピュータ画面を再描画してプロジェクタ装置１０ａに表示させるようにしているが、これは、移動前のアプリケーションＡ４１の下のディスクトップ画面などのデータをプロジェクタ装置１０ａが保有していないことによる。
【０１０５】
したがって、例えば、はじめにコンピュータ画面のディスクトップ画面をプロジェクタ装置１０ａに送信して保有させるような処理を行うことによって、上記再描画工程を省略することも可能である。
すなわち、プロジェクタ装置１０ａから送信されてきた移動後のフレーム情報等にもとづいて、コンピュータ装置２０における記憶部２３の情報を更新するのみで、コンピュータ画面の再描画を省略することができる。
【０１０６】
［第五実施形態］
次に、本発明の第五実施形態につき、図１６を参照して説明する。同図は、本発明の第五実施形態におけるアプリケーション制御ディスプレイシステムの構成を示すブロック図である。
【０１０７】
本実施形態のアプリケーション制御ディスプレイシステムは、第三実施形態と同様に、入力装置３０が、マウス３０ｂとされている点で、第四実施形態と異なる。その他の各構成や機能については、第四実施形態と同様である。
また、入力装置３０として、マウス３０ｂ以外にポインタデバイスやタッチパッドなどの各種ポインティング装置や、プロジェクタ装置１０ａ本体のコントロールキーを用いることもできる点についても、第三実施形態と同様である。
【０１０８】
上記実施形態においては、アプリケーションの制御として終了や、移動を行ったが、その他の制御、例えば、複数ページを有するアプリケーションなどの場合には、そのページの切り替えを行うようにすることもできる。
この場合、リモコン装置３０ａに「次のページ」や「前のページ」の実行コマンドをもたせ、その制御をプロジェクタ装置１０ａにおける入力情報制御部１２ａ−１、制御情報出力部１２ａ−３、及びコンピュータ装置２０の制御情報処理部２２等にもたせることによって、行うことが可能である。
【０１０９】
なお、本発明は以上の実施形態に限定されるものではなく、例えば、第一実施形態と第四実施形態を組合せて、コンピュータ画面を映像信号として扱い、かつアプリケーションを移動可能とすることができる。
また、入力装置３０をキーボード入力可能なものとして、ディスプレイ装置１０に文字入力を行い、特別な制御を追加するなど適宜設計変更できるものである。
【０１１０】
【発明の効果】
以上のように、本発明によれば、コンピュータ装置からディスプレイ装置に送信され、表示されたコンピュータ画面上のアプリケーションを、ディスプレイ装置の入力装置だけで制御することが可能となる。
【０１１１】
また、この際、コンピュータ装置用とディスプレイ装置用の二つのカーソルを表示させることなく、一つのみ表示させて制御することができるため、操作性を向上させることが可能となる。
さらに、コンピュータ装置とディスプレイ装置間のデータ送受信量を軽減することができるため、高い処理速度を得ることができ、プレゼンテーションに適したものとすることが可能となる。
【図面の簡単な説明】
【図１】本発明の第一実施形態のアプリケーション制御ディスプレイシステムの構成の概略を示すブロック図である。
【図２】本発明の第一実施形態のアプリケーション制御ディスプレイシステムの構成を示すブロック図である。
【図３】本発明の第一実施形態のアプリケーション制御ディスプレイシステムにおいて表示されたコンピュータ画面の例を示す図である。
【図４】本発明の第一実施形態のアプリケーション制御ディスプレイシステムにおいて設定されるカーソル位置情報の概念図である。
【図５】本発明の第一実施形態のアプリケーション制御ディスプレイシステムにおいてカーソルが描画されたコンピュータ画面の例を示す図である。
【図６】本発明の第一実施形態のアプリケーション制御ディスプレイシステムにおいてコマンドが実行されたコンピュータ画面の例を示す図である。
【図７】本発明の第二実施形態のアプリケーション制御ディスプレイシステムの構成を示すブロック図である。
【図８】本発明の第三実施形態のアプリケーション制御ディスプレイシステムの構成を示すブロック図である。
【図９】本発明の第四実施形態のアプリケーション制御ディスプレイシステムの構成を示すブロック図である。
【図１０】本発明の第四実施形態のアプリケーション制御ディスプレイシステムにおいて表示されたコンピュータ画面の例を示す図である。
【図１１】本発明の第四実施形態のアプリケーション制御ディスプレイシステムにおいて設定されるカーソル位置情報を示す概念図である。
【図１２】本発明の第四実施形態のアプリケーション制御ディスプレイシステムにおいてカーソルが描画されたコンピュータ画面の例を示す図である。
【図１３】本発明の第四実施形態のアプリケーション制御ディスプレイシステムにおけるフレーム情報を示す概念図である。
【図１４】本発明の第四実施形態のアプリケーション制御ディスプレイシステムにおけるフレームの移動を示す図である。
【図１５】本発明の第四実施形態のアプリケーション制御ディスプレイシステムにおいてコマンドが実行されたコンピュータ画面の例を示す図である。
【図１６】本発明の第五実施形態のアプリケーション制御ディスプレイシステムの構成を示すブロック図である。
【符号の説明】
１０  ディスプレイ装置
１０ａ  プロジェクタ装置
１１，１１ａ  送受信部
１１ａ−１  映像信号受信部
１１ａ−２  制御情報送信部
１１ａ−３  画像データ受信部
１１ａ−４  フレーム情報受信部
１２，１２ａ  制御部
１２ａ−１  入力情報制御部
１２ａ−２  カーソル描画制御部
１２ａ−３  制御情報出力部
１２ａ−４  画像データ制御部
１２ａ−５  フレーム描画制御部
１３，１３ａ  記憶部
１４，１４ａ  信号処理部
１５，１５ａ  表示部
２０  コンピュータ装置
２１  送受信部
２１−１  映像信号送信部
２１−２  制御情報受信部
２１−３  画像データ送信部
２１−４  フレーム情報送信部
２２  制御情報処理部
２３  記憶部
３０  入力装置
３０ａ  リモコン装置
３０ｂ  マウス
３１ａ  上方向移動ボタン
３２ａ  左方向移動ボタン
３３ａ  右方向移動ボタン
３４ａ  下方向移動ボタン
３５ａ  表示／非表示ボタン
３６ａ  決定ボタン
３７ａ  移動ボタン
３８ａ  取消ボタン
４１  アプリケーションＡ
４１ａ  フレームＡ（移動前）
４１ｂ  フレームＡ（移動後）
４２  アプリケーションＢ
４３  終了ボタン
４４  カーソル
４５  タイトルバー
【図１】
0003996427.tif 000002
【図２】
0003996427.tif 000003
【図３】
0003996427.tif 000004
【図４】
0003996427.tif 000005
【図５】
0003996427.tif 000006
【図６】
0003996427.tif 000007
【図７】
0003996427.tif 000008
【図８】
0003996427.tif 000009
【図９】
0003996427.tif 000010
【図１０】
0003996427.tif 000011
【図１１】
0003996427.tif 000012
【図１２】
0003996427.tif 000013
【図１３】
0003996427.tif 000014
【図１４】
0003996427.tif 000015
【図１５】
0003996427.tif 000016
【図１６】
0003996427.tif 000017